(57)【特許請求の範囲】
【請求項１】
透明な素材で構成された容器本体の内部に、ダイヤモンド形状の置物である宝飾品を支持するための、該容器本体と面で内接して固定される１つの支持部材を有する包装容器であって、
該容器本体は、１枚の平板を折り曲げてなるものであり、
該支持部材は、該容器本体とは独立した別の部材であり、
該支持部材は、透明な素材で構成された平板を折り曲げてなるものであり、該宝飾品を嵌合させるための第一嵌合孔及び第二嵌合孔を有するものであり、
該支持部材に支持された該宝飾品が該容器本体と接触しないようになっていることを特徴とする包装容器。
【請求項２】
上記宝飾品はガラス製品である請求項１に記載の包装容器。
【請求項３】
上記容器本体は略直方体形状である請求項１又は請求項２に記載の包装容器。
【請求項４】
文字や図形を表示する表示手段を有する請求項１ないし請求項３の何れかの請求項に記載の包装容器。
【請求項５】
上記容器本体は、その上部に吊り下げ手段を有する請求項１ないし請求項４の何れかの請求項に記載の包装容器。
【請求項６】
上記容器本体及び／又は上記支持部材は、ポリエチレンテレフタレート（ＰＥＴ）で構成されている請求項１ないし請求項５の何れかの請求項に記載の包装容器。
【発明の詳細な説明】
【技術分野】
【０００１】
本発明は、宝飾品用の包装容器に関し、更に詳しくは、容器内部に支持部材を有し、支持部材も含めた容器全体が透明な素材で構成されていることによって、容器内部に保持した宝飾品を観察しやすく、宝飾品を十分に保護できる包装容器に関する。
【背景技術】
【０００２】
ガラス製品、宝石、時計等の宝飾品は、見た目の美しさから、贈答品・記念品等として広く使用されるものである。
宝飾品は、見た目が極めて重要な商品であることから、宝飾品を購入しようとする者は、カタログ等の写真を見るだけでなく、店頭で、宝飾品の実物を見てから購入することを望む場合が多い。
【０００３】
宝飾品を店頭で販売する際には、破損しないように宝飾品を保護するために、また、高級感を出すために、布やスポンジ等の緩衝材を内部に充填した化粧箱を包装用の箱として使用することが多く、購入しようとする者が宝飾品を観察する際には、化粧箱から取り出して観察する必要がある。
このような化粧箱による包装は、宝飾品に高級感を与えて購入意欲を高めるという側面もあるが、反面、宝飾品に対して物々しい印象を与えてしまうことがある。特に、宝飾品を購入した経験の無い者はこのような傾向が強く、例えば、宝飾品を取り出した際に手をすべらせて破損させることを過度に心配してしまうことがある。
【０００４】
このため、化粧箱を包装用の箱として使用した販売方法の場合、宝飾品を実際に手に取って観察することすらなく、購入意欲を失っている者が相当数存在している。このような者が、宝飾品を気軽に観察することのできる包装方法が望まれる。
【０００５】
包装体から取り出すことなく、商品を気軽に観察する方法として、透明な素材を用いた包装体に商品を包装するという方法がある。
例えば、特許文献１には、透明材を用いて形成された開閉蓋を用いた宝石箱が開示されている。
また、特許文献２には、商品収納容器の本体を、透光性を有する合成樹脂製のシートで形成し、中に入れた筒状の商品を外部から視認可能な商品収納容器が開示されている。
【０００６】
特許文献１や特許文献２に記載の従来の包装体は、内部に保持された商品を取り出すことなく、外部から観察することができる。
しかしながら、これらの包装体は、底部は透明でない素材で構成されており、一部の方向（下方向）からは、内部に保持された商品を観察することはできず、商品には、外部から観察できない部位が存在する。
【０００７】
特許文献１の包装体において、外部から観察できない部位は、指輪のリング下部である。しかし、指輪の場合、購入しようとする者が関心を持つのは、指輪の宝石部分であり、特許文献１の包装体は、宝石部分は外部から十分に観察できる。
【０００８】
特許文献２の包装体は、筒状の商品を対象としており、外部から観察できないのは、筒の下部であり、筒の側面は外部から十分に観察できる。また、特許文献２の包装体は、釣り用リールのスプールのような実用品の包装を想定したものである。
【０００９】
宝飾品は、見た目が重要であるため、宝飾品の種類によって、購入しようとする者は、宝飾品のあらゆる部位を子細に観察したいと考える場合が多い。特に、ガラス製品や時計のような宝飾品については、全体が重要部であり、底部側からも観察する必要性がある。
このため、かかる公知技術では、宝飾品を細部まで観察したいという要求に応えるには不十分であり、改善の余地があった。
【先行技術文献】
【特許文献】
【００１０】
【特許文献１】特開２００５−０８７４７１号公報
【特許文献２】特開２０１０−２０２１９８号公報
【発明の概要】
【発明が解決しようとする課題】
【００１１】
本発明は上記背景技術に鑑みてなされたものであり、その課題は、宝飾品を、気軽に手に取って、底部を含めたあらゆる方向から容易に観察することが可能な包装容器を提供することにある。
【課題を解決するための手段】
【００１２】
本発明者は、上記の課題を解決すべく鋭意検討を重ねた結果、透明な容器の中に、宝飾品の形状に合わせた透明な支持部材を入れ、該支持部材により宝飾品を支持することによって、また、支持部材の形状を宝飾品が容器本体に接触しないような形状とすることによって、容器の中に保持された宝飾品を、容器本体の内部で、「宙に浮いたような状態」にできることを見出した。そして、宝飾品をこのような状態とすることによって、宝飾品は、底部も含めたあらゆる方向から観察しやすくなり、また、容器が外部から衝撃を受けても、衝撃が宝飾品に伝わらず、破損しにくくなることを見出し、本発明を完成するに至った。
【００１３】
すなわち、本発明は、透明な素材で構成された容器本体の内部に、宝飾品を支持する１又は２以上の支持部材を有する包装容器であって、
該容器本体は、１枚の平板を折り曲げてなるものであり、
該支持部材は、透明な素材で構成された平板を折り曲げてなるものであり、該支持部材に支持された該宝飾品が該容器本体と接触しないようになっていることを特徴とする包装容器を提供するものである。
【発明の効果】
【００１４】
本発明によれば、容器全体が透明な素材で構成されているので、底部も含めたあらゆる方向から宝飾品を観察することができる包装容器を提供することができる。
【００１５】
本発明の包装容器に宝飾品を入れて販売する場合、宝飾品を容器から取り出す必要はなく、包装容器を気軽に手に取って、あらゆる方向から宝飾品を子細に観察することができる。このため、従来の化粧箱を包装箱とした販売方法と異なり、宝飾品に対して物々しい印象を与えることはなく、購入しようとする者は、気軽に宝飾品を観察することができ、宝飾品の購買意欲が向上し、販売の促進につながる。
【００１６】
また、従来は、店頭において宝飾品は陳列棚に陳列されていることが多く、客は店員に言って陳列棚から出してもらって観察したり、店員に言って持ち帰り用に改めて容器に入れ包装してもらったりすることが多かった。しかしながら、本発明によれば、客が店頭で手に持って観察した宝飾品をその包装容器ごと直接買い物かごに入れてレジまで持参したり、店頭で観察した「宝飾品が包装容器に入ったままの状態」で持ち帰ったりすることができる。
そのため、宝飾品に対して物々しい印象を与えてしまうことがなく、客は気楽に購入できるので売り上げが向上する。
【００１７】
本発明の包装容器では、容器の中の宝飾品は、支持部材により支持されており、容器本体とは接触しておらず、「宙に浮いたような状態」で安定して保持される。このため、容器を落とす等して容器が衝撃を受けても、その衝撃は宝飾品に伝わらず、宝飾品の破損が起こりにくい。このため、容器を気軽に手に取って扱うことができる。
【００１８】
また、宝飾品を容器から取り出す必要が無いので、人が触れたり埃が付着したりすることによる汚れの心配が無い。
【００１９】
更に、本発明の包装容器は、文字や図形を表示する表示手段（中に入っている宝飾品の内容の説明文が印刷された紙等）を備えることもできる。従来の化粧箱を包装用の箱として用いた販売方法では、このような表示手段を設けることは困難であり、宝飾品の内容については、販売員が口頭で説明するのが通常であるところ、本発明の包装容器にこのような表示手段を設ければ、販売員による説明を受けることなく、実際に商品（宝飾品）を手に取りながら、宝飾品の内容を知ることができる。このため、販売効率の向上につながる。
【図面の簡単な説明】
【００２０】
【図１】実施例１において容器本体及び支持部材として使用した平板の展開図である。    （ａ）容器本体    （ｂ）支持部材
【図２】実施例１において包装した置物の正面図である。
【図３】実施例１において置物を包装容器内部に保持した状態を示す図である。    （ａ）斜視図    （ｂ）右側面図
【図４】参考例２において支持部材として使用した平板の展開図である。    （ａ）第一支持部材    （ｂ）第二支持部材    （ｃ）第三支持部材
【図５】参考例２において包装した置物の斜視図である。
【図６】参考例３において支持部材として使用した平板の展開図である。
【図７】参考例３において包装した置物の斜視図である。
【発明を実施するための形態】
【００２１】
以下、本発明について説明するが、本発明は以下の実施の形態に限定されるものではなく、任意に変形して実施することができる。
【００２２】
本発明の包装容器は、透明な素材で構成された容器本体の内部に、宝飾品を支持する１又は２以上の支持部材を有する包装容器である。
本発明の包装容器は、内部に宝飾品を保持するための容器本体と、容器本体の内部に宝飾品とともに保持され、容器本体の内部において宝飾品がガタつかないように宝飾品を固定するための支持部材から構成されるものである。
【００２３】
容器本体と支持部材の全ては、透明な素材で構成されていることから、本発明の包装容器では、中に保持された宝飾品を様々な方向から観察することが可能である。
本発明における「透明」とは、中に保持された宝飾品を外から観察できる状態をいい、無色透明に限らず、有色透明も含まれる。ただ、宝飾品を外部から観察しやすくする、という本発明の目的を達成するためには、容器本体や支持部材は、無色透明である（透過率が高い）ことが好ましい。
【００２４】
本発明の包装容器は、文字や図形を表示する表示手段を有していてもよい。すなわち、容器本体の特定の部位は、紙、「文字や図形を印刷した不透明な印刷インク」等の表示手段によって遮蔽されていてもよい。
前記のように、本発明の包装容器は、容器本体と支持部材の全てが透明な素材で構成されており、あらゆる方向から中に保持された物を観察することができるという特徴を有するものであるが、一部に観察できない方向が存在してもよい（例えば、対称な構造を有する宝飾品の場合）。
【００２５】
表示手段に文字や図形等を表示することにより、販売員等による口頭の説明を受けなくても、購入しようとする者は、包装容器の中の商品（宝飾品）等がどのような物であるかを知ることができる。
【００２６】
このような表示手段の一例としては、例えば、商品（宝飾品）の特徴等の説明文を印刷した紙が挙げられる。このような紙を、容器の外に糊・両面テープ等で接着してもよいし、容器の内部に収納してもよい。また、表示手段は、容器本体に文字や図形を刻印又は印刷されたものであってもよい。
購入者は、商品（宝飾品）を容器から取り出した後、包装容器は廃棄するが、説明文は手元に残しておくことを望む場合があるので、表示手段は、紙を容器内部に接着することなく収納したものであるのが最も好ましい。
【００２７】
＜容器本体＞
容器本体は、１枚の平板を折り曲げてなるものである。１枚の平板を折り曲げることにより、内部に宝飾品及び支持部材を保持することのできる容器となる。
容器本体の形状や組み立て方法に特に限定はなく、公知の形状や方法を使用することができる。容器本体の展開図の一例として、図１に示すものや、特許文献２の図３及び図４に記載の「容器本体１１」のようなもの等が挙げられる。
【００２８】
容器本体は、透明な素材で構成されているが、ここで「透明」とは、無色透明でも有色透明でもよいが、内部の宝飾品の色が分かるように、無色透明であることが好ましい。
【００２９】
容器本体は、凸部、凹部、突起部、スリット部等を有しており、製作者等による組み立てや、購入者等による分解が容易な構造であることが好ましい。
容器本体は、一部に接着剤や両面テープ等で接着された部分が存在していてもよい。宝飾品の観察の妨げにならないように、また、購入者による分解が困難にならないようにするため、接着部分はできるだけ少ない方が好ましい。
【００３０】
また、容器本体の組み立てには、ネジ等の固定部材を使用してもよいが、購入者が分解後に容器を廃棄する際のゴミの分別を容易にするために、また、包装容器の美観を維持するために、このような部材は使用しない方が好ましい。
【００３１】
容器本体の形状として、直方体、三角柱、六角柱等が挙げられるが、内部に保持された宝飾品の観察しやすさ、梱包のしやすさ等の観点から、略直方体形状であることが特に好ましい。
【００３２】
また、容器本体は、図３に示すように、その上部に吊り下げ手段を有すると、フック等に引掛けて展示したり、紐等で吊り下げて展示したりすることができ、また、紐等を固定しておくことにより展示の際の盗難を防止しやすくできる。
該吊り下げ手段も、例えば図１（ａ）に示したように、容器本体を形成する１枚の透明な平板と一体になって形成されており、折り曲げた際に、例えば図３のように上部に立ち上がるようになっていることが、簡便である点、吊り下げ手段が容器本体から外れにくい点等から好ましい。
【００３３】
容器本体の材質に特に限定はなく、透明であれば、どのような材質であってもよい。例えば、ポリエチレン、ポリプロピレン、ポリエチレンテレフタレート（ＰＥＴ）、ポリカーボネート、アクリル樹脂、透明塩化ビニル樹脂等が挙げられる。軽さ、折り曲げやすさ、強度等の観点から、ポリエチレンテレフタレート（ＰＥＴ）が特に好ましい。
【００３４】
容器本体の素材として使用する１枚の平板の厚さは、０．１ｍｍ〜２ｍｍが好ましく、０．１５ｍｍ〜１ｍｍがより好ましく、０．２ｍｍ〜０．５ｍｍが特に好ましい。
厚さの下限が上記以上であると、十分な強度を有し、破損等に強くなる。厚さの上限が上記以下であると、折り曲げ加工が容易となり、また、軽く取り扱いやすくなる。
【００３５】
容器本体を組み立て、内部に何も入れていない状態における容器本体の内部の空間（以下、「保持空間」という場合がある。）の体積は、中に保持する宝飾品の大きさにもよるが、２００ｃｍ３〜５０００ｃｍ３が好ましく、３００ｃｍ３〜２０００ｃｍ３がより好ましく、５００ｃｍ３〜１０００ｃｍ３が特に好ましい。
容器本体が直方体、三角柱、六角柱等の場合、各辺の長さは、３ｃｍ〜２０ｃｍが好ましく、４ｃｍ〜１５ｃｍがより好ましく、５ｃｍ〜１３ｃｍであることが特に好ましい。
上記のような体積や長さであることにより、包装容器を手に取って様々な方向から観察しやすくなり、本発明の効果を奏しやすくなる。
【００３６】
容器本体の内部に、宝飾品及び支持部材を入れた際の、空間充填率（保持空間のうち、宝飾品及び支持部材が占める体積を、保持空間の体積で除した値を百分率で現した値）は、中に保持する宝飾品の種類（形状）にもよるが、５％以上７０％以下であることが好ましく、１０％以上６０％以下であることがより好ましく、１５％以上５０％以下であることが特に好ましい。
空間充填率の下限が上記以上であると、容器本体が必要以上に大きくならず宝飾品を観察しやすくなる。空間充填率の上限が上記以下であると、衝撃による宝飾品の破損が起こる心配がない。
【００３７】
＜支持部材＞
支持部材は、透明な素材で構成された平板を折り曲げてなるものであり、該支持部材に支持された宝飾品は容器本体と接触しないようになっている。
【００３８】
支持部材は、宝飾品を容器の中に入れた際に、該宝飾品が直接容器本体と接触しないようにするための部材である。支持部材は容器本体と接触し、宝飾品は支持部材と接触した状態で保持空間の中に安定して保持される。
宝飾品は、容器本体と接触していないので、容器本体が外部から衝撃を受けても、その衝撃は、宝飾品には伝わらず、宝飾品が破損することがない。
【００３９】
特許文献２等の商品収納容器と異なり、本発明の包装容器では、容器本体の内部に入れる支持部材は、透明な素材で構成されている。すなわち、本発明では、包装容器を構成する部材（容器本体の組み立てに使用するネジ等を除いた主要な部材）は、全て透明な素材で構成されている。
このため、保持空間の中に保持された宝飾品は、「宙に浮いたような状態」となり、容器を手に取ることにより、底部も含めたあらゆる方向から宝飾品を観察することができる。
【００４０】
上記支持部材は、透明な素材で構成されているが、ここで「透明」とは、無色透明でも有色透明でもよいが、宝飾品の色がどの角度からでも分かるように、無色透明であることが好ましい。
【００４１】
支持部材の形状や大きさは、中に保持する宝飾品の種類（形状）により様々であり、図１、図４、図６に示すようなものが一例として挙げられる。
該支持部材は、好ましくは該支持部材の全部は、容器本体の中で（保持空間の中で）、ずれたりガタついたりしないように、該容器本体に内接して固定されていることが好ましい。
【００４２】
支持部材の数は、１つであっても、２つ以上であってもよく、組み立てやすさ、宝飾品の観察のしやすさ、分解のしやすさ等を考慮し、宝飾品の種類（形状）に応じて適宜選択される。
特に、ガラス製品のような宝飾品は、光の反射・屈折の影響による印象の変化が顕著であることから、支持部材の数が多すぎると包装容器の中に保持された状態と容器から取り出した状態で見え方が変わってしまう場合がある。
このため、支持部材の数は、できるだけ少なくする方がよく、５つ以下が好ましく、３つ以下がより好ましく、２つ以下が特に好ましく、１つが最も好ましい。
【００４３】
支持部材のうち少なくとも１つは、宝飾品を嵌合させるための孔（以下、単に「孔」という場合がある。）を有するものであることが好ましい。支持部材をこのような形状にすることにより、少ない数の支持部材で宝飾品を支持しやすくなる。
孔の数は、１つの支持部材に１か所でもよいし２か所以上でもよい。また、複数の支持部材を使用する場合、全ての支持部材が孔を有していてもよいし、一部の支持部材のみが孔を有していてもよい。
孔に宝飾品を嵌合させた状態で保持することで、宝飾品はガタつくことなく安定に保持される。
【００４４】
支持部材の材質に特に限定はなく、透明であれば、どのような材質であってもよい。例えば、ポリエチレン、ポリプロピレン、ポリエチレンテレフタレート（ＰＥＴ）、ポリカーボネート、アクリル樹脂、透明塩化ビニル樹脂等が挙げられる。軽さ、折り曲げやすさ、強度等の観点から、ポリエチレンテレフタレート（ＰＥＴ）が特に好ましい。
【００４５】
支持部材の素材として使用する平板の厚さは、０．１ｍｍ〜２ｍｍが好ましく、０．１５ｍｍ〜１ｍｍがより好ましく、０．２ｍｍ〜０．５ｍｍが特に好ましい。
厚さの下限が上記以上であると、十分な強度を有し、破損等に強くなる。厚さの上限が上記以下であると、折り曲げ加工が容易となり、また、軽く取り扱いやすくなる。
【００４６】
容器本体と支持部材の素材は、同一であっても別々であってもよく、また、複数の支持部材を使用する場合に、全ての支持部材の素材を同一にしても支持部材毎に別々の素材にしてもよい。
生産性等の観点から、容器本体と支持部材の全ては、同一の素材で構成されていることが好ましい。
【００４７】
容器本体の作製に用いる平板と支持部材の作製に用いる平板の厚さは同一であっても異なっていてもよく、また、複数の支持部材を使用する場合に、全ての支持部材を同一の厚さの平板で構成してもよいし、支持部材毎に別々の厚さの平板で構成してもよい。
生産性等の観点から、容器本体と支持部材の全ては、同一の厚さの平板で構成されていることが好ましい。更に、容器本体と支持部材は、同一の素材かつ同一の厚さの平板で構成されていることが特に好ましい。
【００４８】
＜宝飾品＞
本発明の包装容器の中に保持される宝飾品の種類については、特に限定はなく、置物、宝石、時計、ガラス製品等が挙げられる（一例を図２に示す）。特に、ガラス製品は、見る角度を変えることにより光の反射の具合等が変わり、見た目の印象が大きく変わるという性質を持つことから、様々な角度から容器本体の中に保持された宝飾品を見ることができる、という本発明の特徴を生かしやすく、本発明の適用対象として適している。「ガラス製品」には、その全てがガラスでできた製品の他、「その一部にガラス以外の材質でできた部分を有する製品」も含まれる。
ガラス製品は割れやすいので、落とす等して包装容器が衝撃を受けても、その衝撃がガラス製品に伝わらず破損しにくいという本発明の特徴を生かしやすい。
【００４９】
好ましい該ガラス製品としては、置物、装飾品、盾、銘板、ガラス製宝石、彫刻品、勲章、ネックレス、写真立等が挙げられる。その外部や内部に、機械的彫刻、レーザー加工、薬品エッチング等により、文字や図形が描かれているガラス製品であることも、本発明の前記効果を奏しやすいために特に好ましい。
【実施例】
【００５０】
以下に、実施例を挙げて本発明を更に具体的に説明するが、本発明は、その要旨を超えない限りこれらの実施例に限定されるものではない。
なお、容器本体や支持部材の組み立ては手作業で行なったが、折り線部分は折りやすいように予め折り癖をつけておいた。
【００５１】
（実施例１）
以下に示す方法・手順で、図２に示すクリスタルガラス製のダイヤモンド形状の置物１２（株式会社日興インターナショナル製、クリスタルダイヤＮＫＴＲ−０２９５Ｐ）を、容器本体１００と支持部材１１０から構成される略直方体形状の包装容器１０の中に保持した（図３）。
【００５２】
以下、略直方体の６つの面のうち、図３（ｂ）で示される面を「右側面１０３」、吊り下げ手段１０７を有する面を「平面（上面）１０５」、図３（ａ）において右側面１０３と平面（上面）１０５の他に表側に現れている面を「正面１０１」という。
また、正面１０１に対向する面を「背面１０２」、右側面１０３に対向する面を「左側面１０４」、平面（上面）１０５に対向する面を「底面１０６」という。
【００５３】
（１−１）容器本体の組み立て１
容器本体１００として、厚さ０．２ｍｍのポリエチレンテレフタレート（ＰＥＴ）の１枚の平板を折り曲げてなるものを使用した。その展開図を図１（ａ）に示す。図１（ａ）において、点線は山折り線、一点鎖線は谷折り線を示す（以下、他の展開図においても同様）。
容器本体１００には、折り曲げた際に爪状部分を嵌入するためのスリット１００Ｂ、１００Ｃが存在する。また、面１０５ｂ、面１０５ｃには、切り欠き部分（１００Ｄ、１００Ｅ）が存在し、これらは、容器本体を折り曲げた時にスリットとなるスリット形成部である。
【００５４】
まず、容器本体１００の側面（正面１０１、右側面１０３、背面１０２、左側面１０４）に相当する部分を形成した。
すなわち、面１０２ｂと面１０４ａの間、面１０４ａと面１０１ａの間、面１０１ａと面１０３ａの間、面１０３ａと面１０２ａの間にそれぞれ位置する山折り線を折り、糊代部分（接着部分）１００Ａ（図１（ａ）の斜線部）と面１０２ｂを、両面テープで接着した（糊代部分（接着部分）１００Ａの紙面表側と面１０２ｂの紙面裏側を接着面とした）。
【００５５】
次いで、容器本体１００の平面（上面）１０５を形成した。
すなわち、面１０５ｂと面１０４ａの間、面１０５ｃと面１０３ａの間にそれぞれ位置する山折り線、及び、面１０５ｂと面１０７ａの間、面１０５ｃと面１０７ｂの間にそれぞれ位置する谷折り線を折った。これにより、面１０５ｂと面１０５ｃにより、容器上方が塞がれ、また、面１０７ａと面１０７ｂが容器上方に立ち上がった爪のような状態となった。
次に面１０１ａと面１０５ａの間、面１０５ａと面１０２ｃの間にそれぞれ位置する山折り線を折った。この際、面１０７ａと面１０７ｂにより形成された爪状部分をスリット１００Ｂに嵌入し、面１０２ｃを「切り欠き部分（スリット形成部）１００Ｄ、１００Ｅにより形成されたスリット」に嵌入した。
最後に、面１０２ａと面１０５ｄの間の山折り線を折り、爪状の面１０５ｄをスリット１００Ｃに嵌入した。面１０２ａには、切れ込み１００Ｆ、１００Ｇがあるので、容易に面１０５ｄをスリット１００Ｃに嵌入することができた。
【００５６】
ここまでの工程により、容器本体１００は、底面１０６以外が閉じた状態となった。
【００５７】
（１−２）容器本体内部への支持部材及び宝飾品（置物）の設置
支持部材１１０として、厚さ０．２ｍｍのポリエチレンテレフタレート（ＰＥＴ）の１枚の平板を折り曲げてなるものを使用した。その展開図を図１（ｂ）に示す。
支持部材１１０には、ダイヤモンド形状の置物１２を嵌合するための第一嵌合孔１１０Ａ及び第二嵌合孔１１０Ｂが存在する。第一嵌合孔１１０Ａ、第二嵌合孔１１０Ｂはそれぞれ、置物１２の第一嵌合部１２８、第二嵌合部１２９と略同一形状となっている。
【００５８】
まず、図１（ｂ）に示す山折り線及び谷折り線を全て折った。支持部材１１０を折る際には、特定部位を別の特定部位に嵌入させる必要は無いので、折る順序を特に気にかける必要は無かった。
【００５９】
山折り線及び谷折り線が全て折られると、面１１７、面１１８、面１１９が平行に並んだような状態となった。面１１８に存在する第一嵌合孔１１０Ａと面１１９に存在する第二嵌合孔１１０Ｂに、置物１２を緩くセットした。
【００６０】
置物１２がセットされた状態の支持部材１１０を、容器本体１００の底面側から中に挿入した。挿入の向きは、面１１１ａが容器本体の正面１０１、面１１５ａが容器本体の平面（上面）１０５と内接するような向きとした。
【００６１】
（１−３）容器本体の組み立て２
面１０１ａと面１０６ａの間に位置する山折り線を折り、次に面１０４ａと面１０６ｂの間、面１０３ａと面１０６ｃの間にそれぞれ位置する山折り線を折り、面１０６ｂ、１０６ｃの凸部分１００Ｈ、１００Ｉを面１０６ａの凹部分１００Ｋに嵌入した。最後に、面１０２ａと面１０６ｄの間に位置する山折り線を折り、面１０６ｄの凸部分１００Ｊを、面１０６ｂ（の凸部分１００Ｈ）及び面１０６ｃ（の凸部分１００Ｉ）と、面１０６ａとの間に形成された溝に嵌入した。
これにより、容器本体１００の底面１０６が閉じられた状態となり、包装作業が完了した。
【００６２】
包装容器１０の内部において、置物１２は、上部１２７、第一嵌合部１２８、第二嵌合部１２９において、支持部材１１０の支持面１１７、第一嵌合面１１８、第二嵌合面１１９により支持され、容器本体１００とは接触しない状態で保持されていた。
支持部材１１０は、面１１１ａ、１１５ａ、１１６ａ、１１３ａ、１１３ｂ、１１４ａ、１１４ｂにおいて、容器本体１００と内接して固定されていた。
【００６３】
容器本体１００と支持部材１１０はともに透明なので、どの方向からも、置物１２を容易に観察することができた。
また、置物１２は容器本体１００の中でガタつくことはなく安定して保持されており、包装容器１０を故意に床面に落としてみて衝撃を与えても、置物１２が破損することは無かった。
【００６４】
（参考例２）
以下に示す方法・手順で、図５に示すクリスタルガラス製の直方体形状の置物２４（株式会社日興インターナショナル製、クリスタルガラスＮＫＴＲ−００５７）を、容器本体と支持部材から構成される略直方体形状の包装容器の中に保持した。
なお、容器本体は、実施例１で使用した容器本体１１と寸法が異なるのみで、折り曲げの手順等は同一である。
また、置物２４と包装容器は、その上下面が正方形形状である。
【００６５】
（２−１）容器本体の組み立て１
実施例１の（１−１）と同様にして組み立て、容器本体を、底面以外が閉じた状態とした。
【００６６】
（２−２）容器本体内部への支持部材及び宝飾品（置物）の設置
３つの支持部材（第一支持部材２１０、第二支持部材２２０、第三支持部材２３０）として、ポリエチレンテレフタレート（ＰＥＴ）の１枚の平板を折り曲げてなるものを使用した。それぞれの支持部材の展開図を図４（ａ）〜（ｃ）に示す。
【００６７】
まず、図４（ａ）〜（ｃ）に示す山折り線及び谷折り線を全て折った。３つの支持部材を折る際には、特定部位を別の特定部位に嵌入させる必要は無いので、折る順序を特に気にかける必要は無かった。
【００６８】
第一支持部材２１０を、容器本体の内部に挿入した。挿入の向きは、面２１７が容器本体の内部に向くような（面２１７が容器本体に接触しないような）向きとした。第一支持部材の面２１１ａ、２１２ａ、２１３ａ、２１４ａは、容器本体の各側面に接触した状態となった。
【００６９】
次に、第二支持部材２２０の面２２８ａ、２２８ｂ、２２８ｃ、２２８ｄで、置物２４の側面２４８を取り囲み、置物２４を取り囲んだ状態の第二支持部材２２０を容器本体の内部に挿入した。挿入の向きは、置物２４の上面２４７、及び、第二支持部材２２０の面２２７ａ、２２７ｂ、２２７ｃ、２２７ｄが、第一支持部材の面２１７と接触するような向きとした。
【００７０】
最後に、第三支持部材２３０を、容器本体の内部に挿入した。挿入の向きは、置物２４の下面２４９、及び、第二支持部材２２０の面２２９ａ、２２９ｂ、２２９ｃ、２２９ｄが、第三支持部材の面２３９と接触するような向きとした。
【００７１】
（２−３）容器本体の組み立て２
実施例１の（１−３）と同様にして、容器本体の底面を閉じられた状態とし、包装作業を完了した。
【００７２】
包装容器の内部において、置物２４は、上面２４７を第一支持部材２１０の支持面２１７、側面２４８を第二支持部材２２０の支持面２２８ａ〜２２８ｄ、下面２４９を第三支持部材２３０の支持面２３９により支持され、容器本体とは接触しない状態で保持されていた。
第一支持部材２１０と第三支持部材２３０は、容器本体と内接して固定され、置物２４を取り囲む第二支持部材２２０は、第一支持部材２１０と第三支持部材２３０に挟まれて固定されていた。
【００７３】
実施例１の場合と同様に、どの方向からも、置物２４を容易に観察することができ、また、包装容器を床面に落として衝撃を与えても、置物２４は破損しなかった。
【００７４】
（参考例３）
以下に示す方法・手順で、クリスタルガラス製の置物３２（株式会社日興インターナショナル製、クリスタル拡大鏡ＮＫＴＲ−００４９）を、容器本体と支持部材３１０から構成される略直方体形状の包装容器の中に保持した。
なお、容器本体は、実施例１で使用した容器本体１１と寸法が異なるのみで、折り曲げの手順等は同一である。
【００７５】
（３−１）容器本体の組み立て１
実施例１の（１−１）と同様にして組み立て、容器本体を、底面以外が閉じた状態とした。
【００７６】
（３−２）容器本体内部への支持部材及び宝飾品（置物）の設置
支持部材３１０として、ポリエチレンテレフタレート（ＰＥＴ）の１枚の平板を折り曲げてなるものを使用した。その展開図を図６に示す。
支持部材３１０には、切れ込み３１０Ｐ、３１０Ｑが存在し、谷折り線を折ることにより、両開き窓を開けたような状態となり、置物３２の嵌合部（右嵌合部３２７、左嵌合部３２８）を嵌合するための嵌合孔が、面３１７及び面３１８に形成される。面３１７と面３１８に形成される嵌合孔は、それぞれ、置物３２の右嵌合部３２７、左嵌合部３２８と略同一形状となっている。
【００７７】
まず、図６に示す山折り線及び谷折り線を全て折った。支持部材３１０を折る際には、特定部位を別の特定部位に嵌入させる必要は無いので、折る順序を特に気にかける必要は無かった。
【００７８】
この状態において、置物３２の右嵌合部３２７を面３１７に形成された嵌合孔に、置物３２の左嵌合部３２８を面３１８に形成された嵌合孔に、それぞれ嵌入することにより、置物３２は、支持部材３１０の面３１２ａ、３１５ａ、３１６ａ、３１７、３１８により五方向から囲まれ、背面３２Ｂが面３１２ａに向いた状態で、支持部材３１０に緩くセットされた。
【００７９】
置物３２がセットされた状態の支持部材３１０を、容器本体の底面側から中に挿入した。挿入の向きは、上曲面３２Ｃが容器本体の平面（上面）側、正面３２Ｆが容器本体の正面側に位置するような向きとした。
【００８０】
（３−３）容器本体の組み立て２
実施例１の（１−３）と同様にして、容器本体の底面を閉じられた状態とし、包装作業を完了した。
【００８１】
包装容器の内部において、置物３２は、右嵌合部３２７において、支持部材３１０の「右嵌合面３１７の嵌合孔」、及び、支持面３１７Ｆ、３１７Ｂにより支持され、また、左嵌合部３２８において、支持部材３１０の「左嵌合面３１８の嵌合孔」、及び、支持面３１８Ｆ、３１８Ｂにより支持され、容器本体とは接触しない状態で保持されていた。
支持部材３１０は、面３１１ａ、３１１ｂ、３１２ａ、３１５ａ、３１５ｂ、３１５ｃ、３１６ａ、３１６ｂ、３１６ｃにおいて、容器本体と内接して固定されていた。
【００８２】
実施例１の場合と同様に、どの方向からも、置物３２を容易に観察することができ、また、包装容器を床面に落として衝撃を与えても、置物３２は破損しなかった。
【００８３】
（変更例）
なお、上記実施例１、参考例２及び参考例３で示した方法・手順は一例を示したものであり、これとは異なる方法・手順で組み立ててもよい。
【００８４】
例えば、容器本体１００の組み立ての際に、両面テープによる接着は、糊代部分（接着部分）１００Ａの紙面裏側と面１０２ｂの紙面表側を接着面としてもよく、むしろ、そのようにした方が、包装が完了した際に面１０２ｂが外側に現れないので見栄えが良い。
【００８５】
上記実施例１、参考例２及び参考例３では、先に容器本体の平面（上面）を組み立て、開いた（組み立てていない）状態の底面側から置物と支持部材を挿入したが、これとは逆に、先に容器本体の底面を組み立て、開いた（組み立てていない）状態の平面（上面）側から置物と支持部材を挿入してもよい。
【００８６】
また、容器本体は略直方体形状（すなわち、対称な形状）であるので、置物と支持部材を挿入する際の向きは、適宜変更してよい。
【産業上の利用可能性】
【００８７】
本発明の包装容器は、容器全体が透明であるため、あらゆる方向から中の宝飾品を観察することができ、中の宝飾品を衝撃から保護することができるため、置物、時計、宝石、ガラス製品等の宝飾品の店頭販売等に広く利用されるものである。
【符号の説明】
【００８８】
１０      包装容器
１００    容器本体
１００Ａ  糊代部分（接着部分）
１００Ｂ  スリット
１００Ｃ  スリット
１００Ｄ  切り欠き部分（スリット形成部）
１００Ｅ  切り欠き部分（スリット形成部）
１００Ｆ  切れ込み
１００Ｇ  切れ込み
１００Ｈ  凸部分
１００Ｉ  凸部分
１００Ｊ  凸部分
１００Ｋ  凹部分
１０１    正面
１０２    背面
１０３    右側面
１０４    左側面
１０５    平面（上面）
１０６    底面
１０７    吊り下げ手段
１０７Ａ  吊り下げ孔
１１０    支持部材
１１０Ａ  第一嵌合孔
１１０Ｂ  第二嵌合孔
１１７    支持面
１１８    第一嵌合面
１１９    第二嵌合面
１２      宝飾品（置物）
１２７    上部
１２８    第一嵌合部
１２９    第二嵌合部
２１０    第一支持部材
２１７    支持面
２２０    第二支持部材
２２８ａ  支持面
２２８ｂ  支持面
２２８ｃ  支持面
２２８ｄ  支持面
２３０    第三支持部材
２３９    支持面
２４      宝飾品（置物）
２４７    上面
２４８    側面
２４９    下面
３１０    支持部材
３１０Ｐ  切れ込み
３１０Ｑ  切れ込み
３１７    右嵌合面
３１７Ｆ  支持面
３１７Ｂ  支持面
３１８    左嵌合面
３１８Ｆ  支持面
３１８Ｂ  支持面
３２      宝飾品（置物）
３２Ｆ    正面
３２Ｂ    背面
３２Ｒ    右側面
３２Ｌ    左側面
３２Ｃ    上曲面
３２Ｕ    底面
３２７    右嵌合部
３２８    左嵌合部
【図１】
0006744701.tif 000002
【図２】
0006744701.tif 000003
【図３】
0006744701.tif 000004
【図４】
0006744701.tif 000005
【図５】
0006744701.tif 000006
【図６】
0006744701.tif 000007
【図７】
0006744701.tif 000008